(57)【要約】【課題】  光音響画像の撮影において取得される複数の種類の医用画像を取得する処理の進捗をそれぞれ知ることができる装置を提供する。【解決手段】  情報処理装置は、被検体に光を照射することにより得られる光音響信号を取得し、光音響信号に基づいて、複数の光音響画像を取得し、複数の光音響画像のそれぞれを取得するための処理の進捗に関する情報を、光音響画像ごとに外部装置に出力する。【選択図】  図４
2018102750.tif 000002
【特許請求の範囲】
【請求項１】
被検体に光を照射することにより得られる光音響信号を取得する信号取得手段と、
前記光音響信号に基づいて、複数の光音響画像を取得する画像取得手段と、
前記複数の光音響画像のそれぞれを取得するための処理の進捗に関する情報を、前記光音響画像ごとに外部装置に出力する出力手段と、
を有することを特徴とする情報処理装置。
【請求項２】
前記処理の進捗に関する情報は、前記複数の光音響画像のそれぞれを取得するための処理が終了すると推測される、それぞれの時刻の情報であることを特徴とする請求項１に記載の情報処理装置。
【請求項３】
前記処理の進捗に関する情報は、前記複数の光音響画像のそれぞれを取得するための処理が終了するのに要する、それぞれの残り時間の情報であることを特徴とする請求項１に記載の情報処理装置。
【請求項４】
前記処理の進捗に関する情報は、前記外部装置に出力するための情報オブジェクトに含まれることを特徴とする請求項１乃至請求項３に記載の情報処理装置。
【請求項５】
前記出力手段は、前記光音響画像を一意に識別するための情報とともに前記処理の進捗に関する情報を出力することを特徴とする請求項１乃至請求項４のいずれか１項に記載の情報処理装置。
【請求項６】
前記出力手段は、前記処理の進捗に関する情報をピクセルデータとして出力することを特徴とする請求項１乃至請求項５のいずれか１項に記載の情報処理装置。
【請求項７】
被検体に光を照射することにより得られる光音響信号に基づいて生成される、複数の光音響画像を取得する画像取得手段と、
前記複数の光音響画像のそれぞれを取得するための処理の進捗に関する情報を外部装置から取得する情報取得手段と、
前記画像取得手段により取得されていない光音響画像について、前記情報取得手段により取得された前記処理の進捗に関する情報を表示部に表示させる表示制御手段と、
を有することを特徴とする情報処理装置。
【請求項８】
情報処理装置と読影端末とを備える情報処理システムであって、
被検体に光を照射することにより得られる光音響信号を取得する信号取得手段と、
前記光音響信号に基づいて、複数の光音響画像を取得する画像取得手段と、
前記複数の光音響画像のそれぞれを取得するための処理の進捗に関する情報を、前記光音響画像ごとに前記読影端末に出力する出力手段と、
を有することを特徴とする情報処理システム。
【請求項９】
前記光音響信号に基づいて、前記複数の光音響画像を取得する画像取得手段を複数有し、
前記複数の前記画像取得手段による処理を管理する管理手段をさらに有することを特徴とする請求項８に記載の情報処理システム。
【請求項１０】
前記複数の光音響画像のそれぞれを取得するための処理の進捗に関する情報を、前記光音響画像ごとに表示部に表示させる表示制御手段をさらに有することを特徴とする請求項８又は請求項９のいずれか１項に記載の情報処理システム。
【請求項１１】
被検体に光を照射することにより得られる光音響信号を取得する信号取得工程と、
前記光音響信号に基づいて、複数の光音響画像を取得する画像取得工程と、
前記複数の光音響画像のそれぞれを取得するための処理の進捗に関する情報を、前記光音響画像ごとに外部装置に出力する出力工程と、
を有することを特徴とする情報処理方法。
【請求項１２】
請求項１１に記載の情報処理方法をコンピュータに実行させるためのプログラム。
【発明の詳細な説明】
【技術分野】
【０００１】
本明細書の開示は、情報処理装置、情報処理方法、情報処理システム及びプログラムに関する。
【背景技術】
【０００２】
被検体内部の状態を低侵襲に画像化する光音響撮影装置により得られる光音響信号に基づいて、被検体内部における音圧の分布に関する情報が得られる。さらに音圧の分布に基づいて被検体内部における物質の吸収係数を画像化し、被検体内部における物質の成分比率や代謝といった機能に関する情報を表す様々な種類の医用画像が得られることが知られている。すなわち、光音響撮影装置は１回の撮影で様々な種類の医用画像を取得することができる。
【０００３】
また近年では、医用画像の撮影や診断に関する各種の情報のやり取りが電子化されている。特許文献１には、医用画像の撮影のオーダ情報が撮影装置だけでなく医用画像を読影するための読影端末にも出力され、読影端末が当該オーダ情報に基づく撮影の進捗に関する情報を取得することが開示されている。
【先行技術文献】
【特許文献】
【０００４】
【特許文献１】特開２００９−１２５１３６号公報
【発明の概要】
【発明が解決しようとする課題】
【０００５】
撮影装置がオーダ情報に含まれる医用画像を、医用画像の管理装置に出力したことに応じて、当該オーダ情報に基づく撮影が完了したとみなす場合がある。その場合、光音響撮影装置のように、１回の撮影で様々な種類の医用画像を取得する撮影においては、それぞれの種類の医用画像を取得する処理の進捗をユーザが把握できないおそれがある。
【課題を解決するための手段】
【０００６】
本発明の実施形態に係る情報処理装置は、被検体に光を照射することにより得られる光音響信号を取得する信号取得手段と、前記光音響信号に基づいて、複数の光音響画像を取得する画像取得手段と、前記複数の光音響画像のそれぞれを取得するための処理の進捗に関する情報を、前記光音響画像ごとに外部装置に出力する出力手段と、を有することを特徴とする。
【発明の効果】
【０００７】
個別の種類の医用画像が取得されたか否かを示す情報を読影端末のような外部装置が取得できるので、医用画像を観察するユーザは当該観察のワークフローを効率的に進めることができる。
【図面の簡単な説明】
【０００８】
【図１】本発明の実施形態に係る情報処理装置に関する構成の一例を示す図である。
【図２】本発明の実施形態に係る情報処理装置により行われる処理の一例を示すフローチャートである。
【図３】本発明の実施形態に係る読影端末により行われる処理の一例を示すフローチャートである。
【図４】本発明の実施形態に係る読影端末において表示される画面の一例を示す図である。
【図５】本発明の実施形態に係る情報処理装置と読影端末により行われる処理の一例を示す図である。
【発明を実施するための形態】
【０００９】
以下、図面を参照して本発明の実施形態を説明する。
【００１０】
［第一の実施形態］
本願明細書では、被検体に光を照射し、被検体内部で生じた膨張によって発生する音響波を光音響波と称する。
【００１１】
被検体内部の状態を低侵襲に画像化する方法として、光音響イメージングが着目されている。光音響イメージングでは、光源から発生したパルス光を生体に照射し、生体内で伝播・拡散したパルス光のエネルギーを吸収した生体組織から発生した光音響波を検出する。光音響波を用いて画像化された画像を以下では光音響画像と称する。光音響イメージングでは、腫瘍などの被検部位とそれ以外の組織との光エネルギーの吸収率の差を利用し、被検部位が照射された光エネルギーを吸収して瞬間的に膨張する際に発生する弾性波（光音響波）をトランスデューサで受信する。この検出信号を以下では光音響信号と称する。光音響撮影装置は、光音響信号を解析処理することにより、生体内の光学特性分布、特に、光エネルギー吸収密度分布を得ることができる。光音響画像には、被検体内部の光学特性に応じた、様々な種類の画像がある。たとえば、光音響画像には吸収密度分布を示す吸収係数画像が含まれる。また、吸収係数画像から、酸化ヘモグロビン、還元ヘモグロビン、水、脂肪、コラーゲンといった生体分子の存在や、比率等を示す画像が生成される。たとえば、酸化ヘモグロビンと還元ヘモグロビンとの比率に基づいて、ヘモグロビンの酸素との結合状況を示す指標である酸素飽和度に関する画像が得られる。
【００１２】
また近年では、上述の光音響画像を含め、診断に用いられる医用画像や診断に関する各種の情報が電子化されている。撮影装置と、当該撮影装置と接続される各種の装置との間の情報連携のために、たとえばＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）規格が用いられることが多い。ＤＩＣＯＭは医用画像のフォーマットと、それらの画像を扱う装置間の通信プロトコルを定義した規格である。ＤＩＣＯＭに基づいてやりとりされる対象となるデータは情報オブジェクト（ＩＯＤ：Ｉｎｆｏｒｍａｔｉｏｎ  Ｏｂｊｅｃｔ  Ｄｅｆｉｎｉｔｉｏｎｓ）と呼ばれる。以下では、情報オブジェクトをＩＯＤ、或いはオブジェクトと称する場合がある。ＩＯＤの例としては、医用画像、患者情報、検査情報、構造化レポート等が挙げられ、医用画像を用いた検査や治療にかかわる様々なデータがその対象となり得る。
【００１３】
光音響画像を医療施設内における様々な装置で利用するために、光音響画像もＤＩＣＯＭ規格に則ってＩＯＤとして光音響撮影装置から出力されることが好ましい。また、光音響画像の撮影に関する情報の通信もＤＩＣＯＭに基づいて行われることが好ましい。ＤＩＣＯＭでは、撮影装置がオーダリング装置等に対して、検査の進捗に関する情報を送信するための規格が定められている。これにより、オーダリング装置等において、あるオーダの撮影が開始されたか、完了したか、中止されたかのいずれの状態にあるかを管理することができる。読影結果を読影レポートに記載し、被検体である患者に読影で得られた情報を説明する作業のために、撮影がいつ完了するかだけではなく、光音響画像をいつ読影できるかをユーザが把握できることが好ましい。第１の実施形態は、複数の種類の光音響画像が取得される撮影において、それぞれの光音響画像がいつ利用可能な状態となるかをユーザが把握できるようにすることを目的とする。
【００１４】
［情報処理装置１００及び読影端末１６０の構成］
図１は、本発明の実施形態に係る情報処理装置１００に関する構成の一例を示す図である。図１（ａ）は、情報処理装置１００を含むシステム１０００の構成の一例を示す図である。システム１０００は、情報処理装置１００と、光音響撮影装置１１０とを含む。情報処理装置１００には操作部１０７と表示部１０８とが接続されている。情報処理装置１００はネットワーク１３０に接続する。ネットワーク１３０には、オーダリング装置１４０、ＰＡＣＳ１５０、読影端末１６０、Ｐｒｉｎｔｅｒ１７０が接続されている。システム１０００は、たとえば医療施設内の情報システムである。システム１０００に含まれる各構成は、同じ施設内に設置されている必要はなく、通信可能に接続されていればよい。
【００１５】
情報処理装置１００は、光音響画像の撮影を含む検査に関する情報をオーダリング装置１４０から取得し、当該検査が行われる際に光音響撮影装置１１０（以下では、撮影装置１１０と称する。）を制御する。情報処理装置１００は、撮影装置１１０から光音響信号を取得する。情報処理装置１００は、光音響信号に基づいて複数の種類の光音響画像を取得する。情報処理装置１００は、ＨＬ７（Ｈｅａｌｔｈ  ｌｅｖｅｌ  ７）及びＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）といった規格に準じて、オーダリング装置１４０、ＰＡＣＳ１５０といった外部装置との間で情報の送受信を行う。特に、情報処理装置１００は複数の種類の光音響画像の生成の処理の進捗に関する情報を、読影端末１６０に送信する。
【００１６】
操作部１０７は、ユーザの操作入力に関する情報を情報処理装置１００に送信する。操作部１０７は、たとえばキーボードやトラックボールや、検査に関する操作入力を行うための各種のボタンである。
【００１７】
表示部１０８は、情報処理装置１００からの制御に基づいて、システム１０００で撮影された画像や、検査に関する情報を表示する。表示部１０８は、情報処理装置１００からの制御に基づいて、ユーザの指示を受け付けるためのインタフェースを提供する。表示部１０８は、たとえば液晶ディスプレイである。
【００１８】
なお、表示部１０８と操作部１０７はタッチパネルディスプレイとして統合されていてもよい。また、情報処理装置１００と表示部１０８と操作部１０７は別体の装置である必要はなく、これらの構成が統合された操作卓として実現されてもよい。情報処理装置１００は、複数のプローブを有していてもよい。
【００１９】
撮影装置１１０は、光音響イメージングの手法により、光音響信号を取得する。対象とする被検体内の領域は、たとえば循環器領域、乳房、径部、腹部、手指および足指を含む四肢といった領域である。特に、被検体内の光吸収に関する特性に応じて、新生血管や血管壁のプラークを含む血管領域を、光音響画像の撮影の対象としてもよい。システム１０００では、たとえばメチレンブルー（ｍｅｔｈｙｌｅｎｅ  ｂｌｕｅ）やインドシアニングリーン（ｉｎｄｏｃｙａｎｉｎｅ  ｇｒｅｅｎ）といった色素や、金微粒子、それらを集積あるいは化学的に修飾した物質を造影剤として投与した被検体１２０の光音響画像を撮影してもよい。
【００２０】
撮影装置１１０は、被検体１２０に光を照射する照射部１１２と、被検体１２０からの光音響波を受信する受信部１１１とを含む。受信部１１１及び照射部１１２は被検体１２０に接触させるプローブに備えられてもよいし、被検体１２０の特定の部位に対応する構成に備えられてもよい。被検体１２０の特定の部位に対応する構成とは、たとえば乳房を覆うお椀形の構成である。その場合、被検体１２０の部位に接触する構成であってもよいし、被検体１２０の部位に接触せず、被検体１２０と受信部１１１との間にマッチング剤を保持可能な構成であってもよい。
【００２１】
受信部１１１は、少なくとも１つのトランスデューサ（不図示）と、整合層（不図示）、ダンパー（不図示）、音響レンズ（不図示）を含む。トランスデューサ（不図示）はＰＺＴ（ｌｅａｄ  ｚｉｒｃｏｎａｔｅ  ｔｉｔａｎａｔｅ）やＰＶＤＦ（ｐｏｌｙｖｉｎｙｌｉｄｅｎｅ  ｄｉｆｌｕｏｒｉｄｅ）といった、圧電効果を示す物質からなる。トランスデューサ（不図示）は圧電素子以外のものでもよく、たとえば静電容量型トランスデューサ（ＣＭＵＴ：ｃａｐａｃｉｔｉｖｅ  ｍｉｃｒｏ−ｍａｃｈｉｎｅｄ  ｕｌｔｒａｓｏｎｉｃ  ｔｒａｎｓｄｕｃｅｒｓ）、ファブリペロー干渉計を用いたトランスデューサである。典型的には、光音響信号は０．１〜１００ＭＨｚの周波数成分からなり、トランスデューサ（不図示）は、たとえばこれらの周波数を検出できるものが用いられる。トランスデューサ（不図示）により得られる信号は時間分解信号である。受信された信号の振幅は各時刻にトランスデューサで受信される音圧に基づく値を表したものである。受信部１１１は、電子フォーカスのための回路（不図示）もしくは制御部を含む。受信部１１１は、トランスデューサ（不図示）が受信した時系列のアナログ信号を増幅する増幅器（不図示）を備えていてもよい。
【００２２】
照射部１１２は、光音響信号を取得するための光源（不図示）と、光源（不図示）から射出されたパルス光を被検体へ導く光学系（不図示）とを含む。光源（不図示）が射出する光のパルス幅は、たとえば１ｎｓ以上、１００ｎｓ以下のパルス幅である。また、光源（不図示）が射出する光の波長は、たとえば４００ｎｍ以上、１６００ｎｍ以下の波長である。被検体の表面近傍の血管を高解像度でイメージングする場合は、４００ｎｍ以上、７００ｎｍ以下の、血管での吸収が大きい波長が好ましい。また、被検体の深部をイメージングする場合には、７００ｎｍ以上、１１００ｎｍ以下の、水や脂肪といった組織で吸収されにくい波長が好ましい。
【００２３】
光源（不図示）は、たとえばレーザーや発光ダイオードである。照射部１１２は、複数の波長の光を用いて光音響信号を取得するために、波長を変換できる光源を用いてもよい。あるいは、照射部１１２は、互いに異なる波長の光を発生する複数の光源を備え、それぞれの光源から交互に異なる波長の光を照射できる構成であってもよい。レーザーは、たとえば固体レーザー、ガスレーザー、色素レーザー、半導体レーザーである。光源（不図示）として、Ｎｄ：ＹＡＧレーザーやアレキサンドライトレーザーといったパルスレーザーを用いてもよい。また、Ｎｄ：ＹＡＧレーザーの光を励起光とするＴｉ：ｓａレーザーやＯＰＯ（ｏｐｔｉｃａｌ  ｐａｒａｍｅｔｒｉｃ  ｏｓｃｉｌｌａｔｏｒｓ）レーザーを光源（不図示）として用いてもよい。また、光源（不図示）として、マイクロウェーブ源を用いてもよい。
【００２４】
光学系（不図示）には、レンズ、ミラー、光ファイバといった光学素子が用いられる。被検体が乳房である場合には、パルス光のビーム径を広げて照射することが好ましいため、光学系（不図示）は射出される光を拡散させる拡散板を備えていてもよい。あるいは解像度を上げるために、光学系（不図示）はレンズ等を備え、ビームをフォーカスできる構成であってもよい。
【００２５】
撮影装置１１０は、受信部１１１が受信した光音響波のアナログ信号をデジタル信号である光音響信号に変換し、情報処理装置１００に送信する。
【００２６】
オーダリング装置１４０は、検査情報を管理し、撮影装置のそれぞれの検査の進捗を管理するシステムである。放射線部門におけるオーダリング装置１４０は、たとえばＲＩＳ（Ｒａｄｉｏｌｏｇｙ  Ｉｎｆｏｒｍａｔｉｏｎ  Ｓｙｓｔｅｍ）である。検査情報は、検査を一意に識別するための検査ＩＤや、当該検査に含まれる撮影手技に関する情報を含む。オーダリング装置１４０は、情報処理装置１００からの問い合わせに応じて、撮影装置１１０で行う検査の情報を情報処理装置１００に送信する。オーダリング装置１４０は、情報処理装置１００から検査の進捗に関する情報を受信する。
【００２７】
ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）１５０は、施設内外の各種の撮影装置で得られた画像を保持するデータベースシステムである。ＰＡＣＳ１５０はたとえばＰＡＣＳサーバである。ＰＡＣＳ１５０は、医用画像及びかかる医用画像の撮影条件や、再構成を含む画像処理のパラメータや患者情報といった付帯情報を記憶する記憶部（不図示）と、当該記憶部に記憶される情報を管理するコントローラ（不図示）とを有する。ＰＡＣＳ１５０は、情報処理装置１００から出力された光音響画像に関するＩＯＤを記憶する。ＰＡＣＳ１５０と情報処理装置１００との通信や、ＰＡＣＳ１５０に記憶される各種の画像はＨＬ７やＤＩＣＯＭといった規格に則していることが好ましい。情報処理装置１００から出力される各種の画像は、ＤＩＣＯＭ規格に則って各種のタグに付帯情報が関連付けられ、記憶されている。
【００２８】
第１の実施形態にかかる読影端末１６０は、画像診断用の端末であり、ＰＡＣＳ１５０等に記憶された画像を読み出し、診断のために表示する情報処理装置である。医師は、読影端末１６０に画像を表示させて観察し、当該観察の結果得られた情報を読影レポートとして記録する。読影端末１６０を用いて作成された読影レポートは、読影端末１６０に記憶されていてもよいし、ＰＡＣＳ１５０やレポートサーバ（不図示）に出力され、記憶されてもよい。読影端末１６０は、光音響画像の撮影の進捗に関する情報を情報処理装置１００から取得する。特に読影端末１６０は、情報処理装置１００における複数の種類の光音響画像の生成に関して、それぞれの種類の光音響画像の生成の進捗に関する情報を情報処理装置１００から取得する。
【００２９】
Ｐｒｉｎｔｅｒ１７０は、ＰＡＣＳ１５０等に記憶された画像を印刷する。Ｐｒｉｎｔｅｒ１７０はたとえばフィルムプリンタであり、ＰＡＣＳ１５０等に記憶された画像をフィルムに印刷することにより出力する。
【００３０】
図１（ｂ）は、情報処理装置１００の機能構成の一例を示す図である。情報処理装置１００は、検査制御部１０１、撮影制御部１０２、画像処理部１０３、出力制御部１０４、通信部１０５、表示制御部１０６を含む。
【００３１】
検査制御部１０１は、オーダリング装置１４０から検査オーダの情報を取得する。検査オーダには、検査を受ける患者の情報や、撮影手技に関する情報が含まれる。検査制御部１０１は、撮影制御部１０２に検査オーダに関する情報を送信する。また、検査制御部１０１は、表示制御部１０６を介してユーザに検査に関する情報を提示するために表示部１０８に当該検査の情報を表示させる。表示部１０８に表示される検査の情報には、検査を受ける患者の情報や、当該検査に含まれる撮影手技の情報や、既に撮像が完了して生成された画像が含まれる。さらに検査制御部１０１は、通信部１０５を介して当該検査の進捗に関する情報をオーダリング装置１４０に送信する。
【００３２】
検査制御部１０１は、画像処理部１０３における複数の種類の光音響画像の生成に関する処理を、種類ごとに管理する。検査制御部１０１は、読影端末１６０にそれぞれの種類の光音響画像を生成するための処理の進捗に関する情報を送信する。
【００３３】
撮影制御部１０２は、検査制御部１０１から受信した撮影手技の情報に基づいて撮影装置１１０を制御し、光音響信号を撮影装置１１０から取得する。撮影制御部１０２は、照射部１１２への指示と受信部１１１への指示とをユーザの操作入力や撮影手技の情報に基づいて実行する。撮影制御部１０２は、撮影装置１１０においてデジタル信号に変換された光音響信号を取得する。撮影制御部１０２は、信号取得手段の一例である。
【００３４】
画像処理部１０３は、撮影制御部１０２により取得された光音響信号に基づいて、複数の種類の光音響画像を生成する。画像処理部１０３は、画像取得手段の一例である。
【００３５】
具体的には、画像処理部１０３は、光音響信号に基づいて光が照射された時の音響波の分布（以下、初期音圧分布と称する。）を再構成する。画像処理部１０３は、予め被検体に照射される光の強度分布を取得して、たとえば以下に示す考え方により光フルエンスに関する情報を取得する。画像処理部１０３は、光を吸収、散乱する媒質における光エネルギーの挙動を示す輸送方程式や拡散方程式を数値的に解く方法により、被検体の内部における光フルエンスの空間分布を算出することができる。数値的に解く方法としては、有限要素法、差分法、モンテカルロ法等を採用することができる。例えば、画像処理部１０３は、既知の光拡散方程式を解くことにより、被検体の内部における光フルエンスの空間分布（光フルエンス分布、光量分布）を算出してもよい。以下では、初期音圧分布および光フルエンスに関する情報を取得する処理を再構成処理と称する。
【００３６】
画像処理部１０３は、再構成された初期音圧分布を、被検体に照射された光の被検体の光フルエンス分布（光量分布）で除することにより、被検体内における光の吸収係数分布を取得する。また、被検体に照射する光の波長に応じて、被検体内で光の吸収の度合いが異なることを利用して、複数の波長に対する吸収係数分布から被検体内の物質の濃度分布を取得する。たとえば画像処理部１０３は、オキシヘモグロビンとデオキシヘモグロビンの被検体内における物質の濃度分布を取得する。さらに画像処理部１０３は、オキシヘモグロビン濃度のデオキシヘモグロビン濃度に対する割合として酸素飽和度分布を取得する。画像処理部１０３により生成される光音響画像は、たとえば上述した初期音圧分布、光フルエンス分布、吸収係数分布、物質の濃度分布および酸素飽和度分布の少なくとも一つの情報を示す画像である。上述したように、吸収係数分布、物質の濃度分布及び酸素飽和度分布のそれぞれに関する画像は、初期音圧分布及び光フルエンス分布に関する画像に基づいて生成される。また、物質の濃度分布及び酸素飽和度分布のそれぞれに関する画像は、２波長分の吸収係数分布に関する画像に基づいて生成される。すなわち、画像処理部１０３は１回の撮影で得られた光音響信号に基づいて、複数の種類の光音響画像を取得する。
【００３７】
出力制御部１０４は、光音響画像を外部装置に出力するためのＩＯＤを生成する。また、光音響画像の生成の処理の進捗に関する情報を外部装置に出力するためのデータを生成する。当該データはパケットでもよいし、特定のタグのＤＩＣＯＭエレメントを含むＩＯＤであってもよい。出力制御部１０４は、それぞれの種類の光音響画像を一意に識別するための情報とともに、当該処理の進捗に関する情報を読影端末１６０といった外部装置に出力する。
【００３８】
たとえば、出力制御部１０４は当該処理の進捗に関する情報を、ＤＩＣＯＭタグ（７ＦＥ０，００１０）で示されるＤＩＣＯＭエレメントであるピクセルデータに処理の進捗の情報を示す文字列の画像として記載して、読影端末１６０に通信部１０５を介して出力する。また別の例では、出力制御部１０４は当該処理の進捗に関する情報を、ＤＩＣＯＭタグ（００２０，４０００）で示されるＩｍａｇｅ  Ｃｏｍｍｅｎｔｓに記載してもよい。さらに別の例では、出力制御部１０４はプライベートタグに当該処理の進捗に関する情報を記載してもよい。
【００３９】
通信部１０５は、ネットワーク１３０を介した、オーダリング装置１４０、ＰＡＣＳ１５０、読影端末１６０といった外部装置と情報処理装置１００との間での、情報の送受信を制御する。
【００４０】
表示制御部１０６は、表示部１０８を制御して、表示部１０８に情報を表示させる。表示制御部１０６は、他のモジュールからの入力や、操作部１０７を介したユーザの操作入力に応じて、表示部１０８に情報を表示させる。
【００４１】
図１（ｃ）は第１の実施形態にかかる読影端末１６０の機能構成の一例を示す図である。読影端末１６０は管理部１６１、通信部１６２、表示制御部１６３を有する。また、読影端末１６０には表示部１６４が接続されている。
【００４２】
管理部１６１は、情報処理装置１００における光音響画像の生成の処理の進捗に関する情報を、通信部１６２を介して情報処理装置１００から取得する。この観点では、管理部１６１は、光音響画像の生成の処理の進捗に関する情報を取得する情報取得手段の一例である。管理部１６１は、当該進捗に関する情報を管理する。また、管理部１６１は、所定の処理をトリガーにして、情報処理装置１００に当該進捗に関する情報を問い合わせてもよい。管理部１６１は、表示制御部１６３を介して、当該進捗に関する情報を表示部１６４に表示させる。この観点では、管理部１６１は、光音響信号に基づいて光音響画像を取得するための画像取得手段による処理を管理する管理手段の一例である。さらに、管理部１６１は、情報処理装置１００において取得された光音響画像をＰＡＣＳ１５０から通信部１６２を介して取得する。この観点では、管理部１６１は光音響画像を取得する画像取得手段の一例である。
【００４３】
通信部１６２は、ネットワークを介した、情報処理装置１００、オーダリング装置１４０、ＰＡＣＳ１５０といった外部装置と読影端末１６０との間での、情報の送受信を制御する。たとえば、通信部１６２は情報処理装置１００から光音響画像の生成の処理の進捗に関する情報を受信する。また、通信部１６２はＰＡＣＳ１５０に特定の画像データのＩＯＤを検索して送信するように要求し、当該ＩＯＤをＰＡＣＳ１５０から受信する。
【００４４】
表示制御部１６３は表示部１６４を制御して、表示部１６４に情報を表示させる。表示制御部１６３は、情報処理装置１００から取得された光音響画像の生成の処理の進捗に関する情報や、ＰＡＣＳ１５０から取得された画像データを表示部１６４に表示させる。
【００４５】
図１（ｄ）は情報処理装置１００のハードウェア構成の一例を示す図である。情報処理装置１００はたとえばコンピュータである。情報処理装置１００は、ＣＰＵ１８１、ＲＯＭ１８２、ＲＡＭ１８３、記憶装置１８４、ＵＳＢ１８５、通信回路１８６、グラフィックスボード１８７、ＨＤＭＩ（登録商標）１８８を含む。これらはＢＵＳにより通信可能に接続されている。ＢＵＳは接続されたハードウェア間でのデータの送受信や、ＣＰＵ１８１から他のハードウェアへの命令を送信するために使用される。
【００４６】
ＣＰＵ（Ｃｅｎｔｒａｌ  Ｐｒｏｃｅｓｓｉｎｇ  Ｕｎｉｔ）１８１は情報処理装置１００及びこれに接続する各部を統合的に制御する制御回路である。ＣＰＵ１８１はＲＯＭ１８２に格納されているプログラムを実行することにより制御を実施する。またＣＰＵ１８１は、表示部１０８を制御するためのソフトウェアであるディスプレイドライバを実行し、表示部１０８に対する表示制御を行う。さらにＣＰＵ１８１は、操作部１０７に対する入出力制御を行う。
【００４７】
ＲＯＭ（Ｒｅａｄ  Ｏｎｌｙ  Ｍｅｍｏｒｙ）１８２は、ＣＰＵ１８１による制御の手順を記憶させたプログラムやデータを格納する。ＲＯＭ１８２は、情報処理装置１００のブートプログラムや各種初期データを記憶する。また、情報処理装置１００の処理を実現するための各種のプログラムを記憶する。
【００４８】
ＲＡＭ（Ｒａｎｄｏｍ  Ａｃｃｅｓｓ  Ｍｅｍｏｒｙ）１８３は、ＣＰＵ１８１が命令プログラムによる制御を行う際に作業用の記憶領域を提供するものである。ＲＡＭ１８３は、スタックとワーク領域とを有する。ＲＡＭ１８３は、情報処理装置１００及びこれに接続する各部における処理を実行するためのプログラムや、画像処理で用いる各種パラメータを記憶する。ＲＡＭ１８３は、ＣＰＵ１８１が実行する制御プログラムを格納し、ＣＰＵ１８１が各種制御を実行する際の様々なデータを一時的に格納する。
【００４９】
記憶装置１８４は、超音波画像や光音響画像などの各種のデータを保存する補助記憶装置である。記憶装置１８４は、たとえばＨＤＤ（Ｈａｒｄ  Ｄｉｓｋ  Ｄｒｉｖｅ）や、ＳＳＤ（Ｓｏｌｉｄ  Ｓｔａｔｅ  Ｄｒｉｖｅ）である。
【００５０】
ＵＳＢ（Ｕｎｉｖｅｒｓａｌ  Ｓｅｒｉａｌ  Ｂｕｓ）１８５は操作部１０７と接続する接続部である。
【００５１】
通信回路１８６はシステム１０００を構成する各部や、ネットワーク１３０に接続されている各種の外部装置との通信を行うための回路である。通信回路１８６は、たとえば出力する情報を転送用パケットに格納してＴＣＰ／ＩＰといった通信技術により、ネットワーク１３０を介して外部装置に出力する。情報処理装置１００は、所望の通信形態にあわせて、複数の通信回路を有していてもよい。
【００５２】
グラフィックスボード１８７は、ＧＰＵ（Ｇｒａｐｈｉｃｓ  Ｐｒｏｃｅｓｓｉｎｇ  Ｕｎｉｔ）、ビデオメモリを含む。ＧＰＵは、たとえば光音響信号から光音響画像を生成するための再構成処理に係る演算を行う。
【００５３】
ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）１８８は、表示部１０８と接続する接続部である。
【００５４】
ＣＰＵ１８１やＧＰＵはプロセッサの一例である。また、ＲＯＭ１８２やＲＡＭ１８３や記憶装置１８４はメモリの一例である。情報処理装置１００は複数のプロセッサを有していてもよい。第１の実施形態においては、情報処理装置１００のプロセッサがメモリに格納されているプログラムを実行することにより、情報処理装置１００の各部の機能が実現される。
【００５５】
また、情報処理装置１００は特定の処理を専用に行うＣＰＵやＧＰＵ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）を有していても良い。情報処理装置１００は特定の処理あるいは全ての処理をプログラムしたＦＰＧＡ（Ｆｉｅｌｄ−Ｐｒｏｇｒａｍｍａｂｌｅ  Ｇａｔｅ  Ａｒｒａｙ）を有していてもよい。
【００５６】
読影端末１６０は、たとえばコンピュータである。読影端末１６０のハードウェア構成は図１（ｄ）に示したのと同様である。上述した説明を援用することによりここでの詳しい説明を省略する。
【００５７】
［情報処理装置１００による一連の処理］
図２は、情報処理装置１００が取得した光音響信号に基づいて複数の種類の光音響画像を生成し、進捗の情報を読影端末１６０に送信する処理の一例を示すフローチャートである。下記の処理において、特に断りがない場合、各処理を実現する主体はＣＰＵ１８１またはＧＰＵである。
【００５８】
ステップＳ２００において、検査制御部１０１は複数の種類の光音響画像の生成の処理に関するワークアイテムを生成する。ワークアイテムは、画像データを一意に識別するための情報と、検査に関する情報と、情報処理装置１００において行われる処理に関する情報と、当該処理の進捗に関する情報とを少なくとも含む。画像データを一意に識別するための情報とは、たとえばＳＯＰインスタンスＵＩＤ（Ｓｅｒｖｉｃｅ  Ｏｂｊｅｃｔ  Ｐａｉｒ  Ｉｎｓｔａｎｃｅ  Ｕｎｉｑｕｅ  Ｉｄｅｎｔｉｆｉｅｒ）である。検査に関する情報は、たとえば患者の情報や、検査を一意に識別するための情報を含む。情報処理装置１００において行われる処理に関する情報は、たとえば処理の内容に関する情報、処理が終了すると推測される時刻の情報を含む。処理の進捗に関する情報は、たとえば当該処理が開始される前である状態、当該処理が開始され終了される前である状態、当該処理が終了された状態、当該処理が開始されたが中止された状態、のいずれかの状態を示す情報である。ワークアイテムは、ワークアイテムを一意に識別するための情報を含んでいてもよい。検査制御部１０１は、撮影制御部１０２が撮影装置１１０から光音響信号を取得したことをトリガーとしてステップＳ２００の処理を開始する。検査制御部１０１は、生成が予定されている複数の種類の光音響画像の生成に際して、それぞれの光音響画像ごとにワークアイテムを生成する。
【００５９】
ステップＳ２０１において、通信部１０５は読影端末１６０に対して、光音響画像の生成の処理に関するワークアイテムが生成されたことを通知する。出力制御部１０４は、当該通知のためのデータを生成し、通信部１０５は当該データを読影端末１６０に送信する。
【００６０】
ステップＳ２０２において、画像処理部１０３は光音響信号に基づいて再構成処理を開始する。
【００６１】
ステップＳ２０３において、通信部１０５は読影端末１６０に対して、再構成処理を開始したことを通知する。検査制御部１０１は、初期音圧分布の画像データの生成に関するワークアイテムの処理の進捗に関する情報を、処理が開始される前の状態から、処理が開始され終了される前である状態に更新する。また、検査制御部１０１は、光フルエンス分布の画像データの生成に関するワークアイテムの処理の進捗に関する情報を、処理が開始される前の状態から、処理が開始され終了される前である状態に更新する。検査制御部１０１は、再構成処理が終了すると推測される時刻の情報に基づいて、複数の光音響画像のそれぞれの生成処理が終了すると推測される時刻の情報を更新する。検査制御部１０１は、これらのワークアイテムのそれぞれについて、処理が終了すると推測される時刻の情報を更新する。通信部１０５は、複数の光音響画像の生成に関するそれぞれのワークアイテムの、更新された情報を読影端末１６０に通知する。出力制御部１０４は、当該通知のためのデータを生成し、通信部１０５は当該データを読影端末１６０に送信する。
【００６２】
ステップＳ２０４において、検査制御部１０１は、画像処理部１０３による再構成処理が終了したか否かを判定する。再構成処理が終了した場合にはステップＳ２０５に進む。再構成処理が終了していない場合にはステップＳ２０３に進む。検査制御部１０１は、ステップＳ２０４で判定した時点における、再構成処理が終了すると推測される時刻の情報及び複数の光音響画像のそれぞれの生成処理が終了すると推測される時刻の情報を更新する。検査制御部１０１は、読影端末１６０に更新された時刻の情報をそれぞれ通知する。ここでは、ステップＳ２０３に進んで時刻の情報を更新し、それを読影端末１６０に通知する場合を例に説明したが、情報処理装置１００はステップＳ２０３に進まずに再構成処理が終了するまでステップＳ２０４で待機してもよい。
【００６３】
ステップＳ２０５において、通信部１０５は読影端末１６０に対して、再構成処理が終了したことを通知する。検査制御部１０１は、初期音圧分布の画像データの生成に関するワークアイテムの処理の進捗に関する情報を、処理が開始され終了される前である状態から、処理が終了された状態に更新する。また、光フルエンス分布の画像データの生成に関するワークアイテムの処理の進捗に関する情報を、同様に更新する。検査制御部１０１は、再構成処理が終了したことに基づいて、吸収係数分布の画像データや酸素飽和度の画像データを生成するための処理が終了すると推測される時刻の情報を更新する。検査制御部１０１は、これらのワークアイテムのそれぞれについて、処理が終了すると推測される時刻の情報を更新する。通信部１０５は、複数の種類の光音響画像の生成に関するそれぞれのワークアイテムの、更新された情報を読影端末１６０に通知する。出力制御部１０４は、当該通知のためのデータを生成し、通信部１０５は当該データを読影端末１６０に送信する。
【００６４】
ステップＳ２０６において、画像処理部１０３は吸収係数分布の画像データや酸素飽和度の画像データといった、再構成処理の他の画像データを生成する。検査制御部１０１は、生成を開始する画像データに関するワークアイテムの処理の進捗に関する情報を、処理が開始される前の状態から、処理が開始され終了される前の状態に更新する。検査制御部１０１は、当該ワークアイテムの更新された情報を読影端末１６０に通知する。出力制御部１０４は、当該通知のためのデータを生成し、通信部１０５は当該データを読影端末１６０に送信する。
【００６５】
ステップＳ２０７において、検査制御部１０１はステップＳ２０６で生成された画像データに関するワークアイテムの進捗に関する情報を読影端末１６０に通知する。検査制御部１０１は、ステップＳ２０６で生成された画像データに関するワークアイテムの処理の進捗に関する情報を、処理が開始され終了される前の状態から、処理が終了された状態に更新する。検査制御部１０１は、当該ワークアイテムの更新された情報を読影端末１６０に通知する。出力制御部１０４は、当該通知のためのデータを生成し、通信部１０５は当該データを読影端末１６０に送信する。
【００６６】
ステップＳ２０８において、検査制御部１０１は画像処理部１０３が全ての種類の光音響画像の生成を完了したか否かを判定する。全ての種類の光音響画像の生成が完了された場合は、図２に示す処理を終了する。生成が完了していない種類の光音響画像がある場合には、ステップＳ２０６に戻る。
【００６７】
図２では、ステップＳ２０３とステップＳ２０５においてそれぞれの光音響画像の生成の処理が終了すると推測される時刻の情報を更新し、読影端末１６０に通知する場合を例に説明したが、これに限らない。たとえば、再構成処理が行われている間、所定の時間が経過する毎に当該時刻の情報を更新し、読影端末１６０に通知してもよい。その場合、検査制御部１０１は読影端末１６０に更新された当該時刻の情報を通知すべき時刻を取得し、管理してもよい。また、読影端末１６０からの問い合わせに応じて、当該時刻の情報を更新し、読影端末１６０に通知してもよい。
【００６８】
また、図２では１回の撮影で得られた光音響信号を再構成処理し、複数の種類の光音響画像を生成する場合を例に説明したが、これに限らない。たとえば、画像処理部１０３は複数の光音響信号の再構成処理を並列で行ってもよい。その場合に、検査制御部１０１、出力制御部１０４、通信部１０５は図２の処理を並列で行う。
【００６９】
なお、光音響画像の生成に関する処理が終了すると推測される時刻に関する情報は、たとえば処理ごとにデフォルト値として予め情報処理装置１００に記憶されていてもよい。また、情報処理装置１００は再構成を行う光音響画像の画素ピッチや画像サイズ、再構成処理の種類に応じて当該時刻に関する情報を取得してもよい。また別の例では、情報処理装置１００は再構成処理に要した時間を学習し、当該学習されたデータに基づいて当該時刻に関する情報を推定してもよい。
【００７０】
［読影端末１６０による一連の処理］
図３は、読影端末１６０が情報処理装置１００から複数の種類の光音響画像の生成の処理の進捗に関する情報を取得し、表示部１６４に表示させる処理の一例を示すフローチャートである。下記の処理において、特に断りがない場合、各処理を実現する主体は、読影端末１６０のＣＰＵまたはＧＰＵである。
【００７１】
ステップＳ３００において、管理部１６１は情報処理装置１００における複数の種類の光音響画像を生成する処理の進捗に関する情報の管理を開始する。管理部１６１は、ユーザが撮影された光音響画像を観察するための処理を開始したことをトリガーとして、ステップＳ３０１の処理を開始する。管理部１６１は、情報処理装置１００に対して光音響画像を生成する処理に関するワークアイテムを生成するように要求し、情報処理装置１００は当該要求に応じて図２に示す処理を開始してもよい。また、管理部１６１は、情報処理装置１００に対してワークアイテムの情報に関する通知を読影端末１６０に送信するように要求してもよい。
【００７２】
ステップＳ３０１において、通信部１６２は情報処理装置１００から、再構成処理を開始したことを示す通知を受信する。当該通知は、図２に示すステップＳ２０３において情報処理装置１００が読影端末１６０に送信する通知に対応する。
【００７３】
ステップＳ３０２において、管理部１６１は表示制御部１６３を介して、表示部１６４に情報処理装置１００における光音響画像を生成する処理の進捗を示す情報を表示させる。管理部１６１は、ステップＳ３０１において受信した通知に基づいて、当該進捗を示す情報を表示部１６４に表示させる。当該進捗を示す情報は、情報処理装置１００から受信した、それぞれの種類の光音響画像を生成する処理が終了すると推測される時刻の情報を含む。
【００７４】
ステップＳ３０３において、管理部１６１は情報処理装置１００から、光音響画像を生成する処理の進捗を示す情報を更新する通知を受信したか否か判定する。当該進捗を示す情報を更新する通知を受信した場合にステップＳ３０４に進む。当該通知は、たとえば図２に示すステップＳ２０５やステップＳ２０７において情報処理装置１００が読影端末１６０に送信する通知に対応する。
【００７５】
ステップＳ３０４において、管理部１６１は表示制御部１６３を介して、表示部１６４に表示させる情報を更新する。管理部１６１はステップＳ３０３において通信部１６２が情報処理装置１００から受信した、光音響画像を生成する処理の進捗に関する情報を更新する通知に基づいて、更新された内容を取得する。管理部１６１は、それぞれの光音響画像を生成する処理が終了すると推測される時刻を含む、当該進捗に関する情報を表示部１６４に表示させる。また、表示制御部１６３は、処理が終了した種類の光音響画像について、終了したことを示す情報を表示部１６４に表示させてもよい。さらに、管理部１６１は処理が終了した種類の光音響画像に関するＩＯＤをＰＡＣＳ１５０から取得してもよい。その場合、表示制御部１６３は当該光音響画像を表示部１６４に表示させてもよい。
【００７６】
ステップＳ３０５において、管理部１６１は全ての種類の光音響画像について、生成する処理を終了したことを示す情報を情報処理装置１００から受信したか否かを判定する。全ての種類の光音響画像について、生成する処理を終了したことを示す情報を情報処理装置１００から受信した場合には、ステップＳ３０６に進む。生成する処理を終了したことを示す情報を情報処理装置１００から受信していない場合には、ステップＳ３０３に戻って、当該処理の進捗を示す情報を更新する通知を待機する。
【００７７】
ステップＳ３０６において、管理部１６１は表示制御部１６３を介して、表示部１６４に表示させる情報を更新する。表示制御部１６３は、全ての種類の光音響画像について、生成する処理が終了されたことを示す情報を表示部１６４に表示させる。ステップＳ３０４において説明したのと同様にして、管理部１６１は光音響画像のＩＯＤをＰＡＣＳ１５０から取得してもよいし、表示制御部１６３は表示部１６４に光音響画像を表示させてもよい。
【００７８】
図４は、表示部１６４に表示される、光音響画像を生成する処理の進捗を示す画面の一例である。図４（ａ）は、当該進捗を示す画面４００の一例であり、画面４００は一覧表４０１と画像表示領域４０２とを含む。一覧表４０１は、光音響画像のそれぞれの種類について、生成の処理が終了すると推測される時刻又は、生成の処理が終了したことを示す情報が表示される。生成の処理が終了したことを示す情報は、たとえば当該処理が終了した時刻の情報である。表示制御部１６３は、当該処理が終了した種類と終了していない種類とで文字色や背景色を異ならせて表示してもよい。
【００７９】
図４（ｂ）は、進捗に関する情報を表示する画面の別の例である。図４（ｂ）は、生成の処理が終了した種類の画像データが表示される。また、生成の処理が終了していない場合は、画像データを表示するための領域に、終了すると推測される時刻の情報が表示される。
【００８０】
図４（ｃ）は、進捗に関する情報を表示する画面のさらに別の例である。たとえば、情報処理装置１００から進捗に関する情報を含む通知を受信した際に、当該通知に含まれる、生成の処理が終了すると推測される時刻の情報を記載したウィンドウを表示部１６４に表示させてもよい。
【００８１】
なお、図４ではそれぞれの種類の光音響画像を生成する処理の進捗を示す情報として、当該処理が終了すると推測される時刻の情報を用いる場合を例に説明したが、本発明の実施形態はこれに限らない。たとえば、当該処理が終了するまでに要する残り時間を当該進捗を示す情報としてもよい。
【００８２】
［各構成の動作］
図５は、図２で説明した情報処理装置１００の処理と、図３で説明した読影端末１６０の処理との関連を示す図である。読影端末１６０は、予め情報処理装置１００に対して、光音響画像を生成する処理の進捗に関する情報を通知するように、予約しておくことができる（ステップＳ３００）。図５では情報処理装置１００が光音響信号を取得する前に予約する例を示しているが、予約はどのようなタイミングで行われてもよい。
【００８３】
情報処理装置１００は光音響信号を撮影装置１１０から取得し、光音響画像を生成する処理に関するワークアイテムを生成する（ステップＳ２００）。情報処理装置１００は、ワークアイテムの生成を読影端末１６０に通知し（ステップＳ２０１）、読影端末１６０はこれを受信する（ステップＳ３００）。
【００８４】
情報処理装置１００が再構成処理を開始すると（ステップＳ２０２）、情報処理装置１００は再構成処理を開始したことと、他の種類の光音響画像の生成が終了すると予測される時刻をワークアイテムの更新として読影端末１６０に通知する（ステップＳ２０３）。読影端末１６０は、進捗に関する情報の更新の通知を受信し（ステップＳ３０１）、当該通知に基づいて進捗に関する情報の表示を更新する（ステップＳ３０２）。
【００８５】
情報処理装置１００が再構成処理を終了すると（ステップＳ２０４）、情報処理装置１００は再構成処理を終了したことと、他の種類の光音響画像の生成が終了すると予測される時刻をワークアイテムの更新として読影端末１６０に通知する（ステップＳ２０５）。読影端末１６０は、進捗に関する情報の更新の通知を受信し（ステップＳ３０３）、当該通知に基づいて進捗に関する情報の表示を更新する（ステップＳ３０４）。情報処理装置１００は、生成された画像データのＩＯＤをＰＡＣＳ１５０に出力し、ＰＡＣＳ１５０はそれらを保存する。
【００８６】
情報処理装置１００は、再構成された初期音圧分布と光フルエンス分布とに基づいて、吸収係数画像等を生成する（ステップＳ２０６）。情報処理装置１００は吸収係数画像等を生成したことを、ワークアイテムの更新として読影端末１６０に通知する（ステップＳ２０７）。図２及び図５では簡単のために、吸収係数分布、酸素飽和度、総ヘモグロビン量等に関する画像を生成する処理とその進捗の通知を一つのステップでそれぞれ表現した。情報処理装置１００はそれぞれの種類の画像を生成する処理を個別に行ってもよいし、並列して行ってもよい。情報処理装置１００は、それぞれの種類の画像が生成されたタイミングで、進捗の通知をそれぞれ行ってもよい。読影端末１６０は、進捗に関する情報の更新の通知を受信し（ステップＳ３０３）、当該通知に基づいて進捗に関する情報の表示を更新する（ステップＳ３０４）。情報処理装置１００は、生成された画像データのＩＯＤをＰＡＣＳ１５０に出力し、ＰＡＣＳ１５０はそれらを保存する。
【００８７】
以上の処理を、情報処理装置１００で全ての種類の光音響画像の生成を完了するまで繰り返し、読影端末１６０が全ての種類の光音響画像について生成が完了したことの通知を受信するまで繰り返す。全ての種類の光音響画像の生成を完了し、ＰＡＣＳ１５０がそれらの保存が完了すると、情報処理装置１００はオーダリング装置１４０に、検査が終了したことを通知する。
【００８８】
第１の実施形態の構成により、読影端末１６０は光音響画像のそれぞれの種類が生成される時刻を把握することができる。読影端末１６０は、上述した複数のタイミングで情報処理装置１００から出力されるＩＯＤに基づいて、当該時刻の情報を取得できる。具体的には、情報処理装置１００は読影端末１６０に当該時刻の情報を出力する際に、ＤＩＣＯＭタグ（７ＦＥ０，００１０）で示されるピクセルデータに、文字列の画像としてそれぞれの種類の画像が生成される時刻を記載したＩＯＤを読影端末１６０に出力する。読影端末１６０はＩＯＤを取得し、ＳＯＰインスタンスＵＩＤにより個別の種類の光音響画像を識別することができる。読影端末１６０を使用するユーザは、読影端末１６０が認識した種類のＩＯＤをＰＡＣＳ１５０や情報処理装置１００から取得するように指示することができる。読影端末１６０が認識している種類のＩＯＤであって、まだ生成の処理が終了していない画像データのＩＯＤは、たとえば図４を用いて説明したような画面が読影端末１６０の表示部１６４に表示される。ピクセルデータに当該処理の進捗に関する情報が記載されている場合には、図４（ｂ）に示すような画面が表示部１６４に表示される。これにより、ユーザはそれぞれの種類の光音響画像が読影に利用可能となる時刻を把握することができる。したがって、ユーザが光音響画像を読影するワークフローを向上することができる。
【００８９】
［第２の実施形態］
第２の実施形態においては、複数の情報処理装置が協働して再構成処理を行う場合の進捗管理について説明する。すなわち、複数の情報処理装置を含む情報処理システムは、たとえば再構成処理を行う画像処理手段を複数有する。
【００９０】
第２の実施形態にかかる情報処理装置１００及び読影端末１６０の構成は、それぞれ図１に示したのと同様であるため、ここでは上述した説明を援用することにより詳しい説明を省略する。第２の実施形態において検査システム１０００は複数の情報処理装置１００を含むこととする。
【００９１】
第２の実施形態においては、複数の情報処理装置１００において分散して実行される再構成処理の進捗を管理するために、一つの情報処理装置を、複数の情報処理装置の進捗を監視する監視役とする。その場合、たとえば、図２に示す一連の処理は監視役である情報処理装置により行われる処理である。監視役である情報処理装置は、ステップＳ２０２において、他の情報処理装置に再構成処理に係るタスクを割り振る。そして、監視役である情報処理装置は、ステップＳ２０４において、他の情報処理装置に再構成処理に係るタスクの進捗を問い合わせて、再構成処理が終了したか否かを判定する。ステップＳ２０３やステップＳ２０５、ステップＳ２０７において、監視役である情報処理装置が、他の情報処理装置における処理の進捗を加味して、読影端末１６０に対して進捗に関する情報を通知する。
【００９２】
第２の実施形態における別の例としては、複数の情報処理装置１００において分散して実行される再構成処理の進捗を管理するために、読影端末１６０を上述の監視役としてもよい。その場合に、読影端末１６０がワークアイテムを生成し、複数の情報処理装置に光音響画像の再構成処理に係るタスクを割り振ってもよい。読影端末１６０がワークアイテムを生成する場合には、読影端末１６０がそれぞれの情報処理装置に対して処理の進捗を問い合わせてもよいし、進捗を通知するように予約してもよい。
【００９３】
［第２の実施形態の変形例］
たとえば、撮影装置１１０が光音響信号と超音波信号とを取得可能な装置である場合に、たとえば超音波信号からＢモード画像といった超音波画像を生成する処理と、光音響信号に基づく再構成処理とを別の装置で行ってもよい。その場合、上述のようにしてそれぞれの処理の進捗が管理されてもよい。
【００９４】
［変形例］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００９５】
上述の各実施形態における情報処理装置は、単体の装置として実現してもよいし、複数の装置を互いに通信可能に組合せて上述の処理を実行する形態としてもよく、いずれも本発明の実施形態に含まれる。共通のサーバ装置あるいはサーバ群で、上述の処理を実行することとしてもよい。情報処理装置および情報処理システムを構成する複数の装置は所定の通信レートで通信可能であればよく、また同一の施設内あるいは同一の国に存在することを要しない。
【００９６】
本発明の実施形態には、前述した実施形態の機能を実現するソフトウェアのプログラムを、システムあるいは装置に供給し、そのシステムあるいは装置のコンピュータが該供給されたプログラムのコードを読みだして実行するという形態を含む。
【００９７】
したがって、実施形態に係る処理をコンピュータで実現するために、該コンピュータにインストールされるプログラムコード自体も本発明の実施形態の一つである。また、コンピュータが読みだしたプログラムに含まれる指示に基づき、コンピュータで稼働しているＯＳなどが、実際の処理の一部又は全部を行い、その処理によっても前述した実施形態の機能が実現され得る。
【００９８】
上述の実施形態を適宜組み合わせた形態も、本発明の実施形態に含まれる。
【図１】
2018102750.tif 000003
【図２】
2018102750.tif 000004
【図３】
2018102750.tif 000005
【図４】
2018102750.tif 000006
【図５】
2018102750.tif 000007